(57)【特許請求の範囲】
【請求項１】
傘本体の天蓋の内面裾側に、エプロン片を取り外し自在に垂下した雨傘装置において、前記天蓋又はその力骨に、該力骨と同方向にパイプを固着し、前記エプロン片の一縁部に、前記パイプの間隔と同間隔に、パイプ嵌入棒を固着してなることを特徴とする雨傘装置。
【請求項２】
前記傘本体が、該傘本体と一緒にエプロン片を携帯するための提げ手付き収容袋を備えていることを特徴とする請求項１に記載の雨傘装置。
【発明の詳細な説明】
【０００１】
【発明の属する技術分野】
本発明は、開いた天蓋の露先から滴下する雨水により傘をさしている者の肩又は背中が濡れないようにした雨傘装置に関するものである。
【０００２】
【従来の技術】
一般に雨傘（日傘も同じ）は、中棒（シャンク）と該中棒を中心に開いたり閉じたりできる天蓋とから構成されている。該天蓋は、力骨（リブ）と受骨（スプレーダー）により支えられ、該受骨を枢支したリング部材を中棒の上方に移動して上タブに係止させると開いた状態に保たれる。そして、天蓋を開き、中棒の下端（手元）を把持して人体を覆うと雨水を避けるように使用できる。
【０００３】
【発明が解決しようとする課題】
しかしながら、雨傘は、通常、上述の如く、中棒の下端（手元）を把持する手は片手になるため、人体を覆う天蓋の中心は、どうしても把持している手の方に片寄ってしまい、他方の肩が天蓋よりはみ出してしまうため露先を伝って落下する雨滴に濡れ易くなる。また、雨風の強い日（傘をさしながら自転車に乗った場合も同じ現象になる。）には中棒を風に向かって前方に傾けて把持するため天蓋から外れた背中が雨水に濡れ易くなるという問題があった。
【０００４】
本発明は、上記の問題点を解決するためのもので、その目的とするところは、傘のさし方によって生ずる、天蓋の中心の片寄りや前傾のために、天蓋から外れた肩や背中が雨水によって濡れらされることがないようにした雨傘装置を提供することにある。
【０００５】
【課題を解決するための手段】
上記の目的を達成するため、本発明は、傘本体の天蓋の内面裾側に、エプロン片を取り外し自在に垂下した雨傘装置において、前記天蓋又はその力骨に、該力骨と同方向にパイプを固着し、前記エプロン片の一縁部に、前記パイプの間隔と同間隔に、パイプ嵌入棒を固着してなることを特徴とし、天蓋が中棒を握った手の方に片寄ったり、雨風の強い日に風に向かって天蓋が前傾姿勢となっても肩や背中をエプロン片で覆うことができ、しかも既製の傘に本発明が簡易に実現できるように構成した。
【０００８】
さらに、請求項２に記載の発明は、前記傘本体が、該傘本体と一緒にエプロン片を携帯するための提げ手付き収容袋を備えていることを特徴とし、雨が止んで天蓋より外したエプロン片を小さく折り畳んで傘本体とともに携帯できるように構成した。
【０００９】
【発明の実施の態様】
次に、本発明の実施の態様を添付した図に基づいて説明する。図１は本願装置の斜視図、図２は天蓋を一時的につぼめた状態を示す斜視図、図３は係止手段の代表例を示す部分断面図、図４はエプロン片の折り畳み過程とその収容袋を示す斜視図、図５はエプロン片で肩を覆った状態を示す説明図、図６はエプロン片で背を覆った状態を示す説明図である。
【００１０】
本願装置１は、傘本体２の天蓋３の内面裾側に、係脱手段４を介してエプロン片５を垂下してなる。この傘本体２の天蓋３は、手元部（握り部）２ａを有する中棒２ｂの上部に逆碗状に展開できる。該天蓋３は力骨２ｃと受骨２ｄに支持されている。そして、力骨２ｃの受骨２ｄを集中的に枢支したリング部材２ｅを中棒２ｂの上方へ向けてスライドさせ、上タブ２ｆに係止させると、天蓋３を図１の如く開いた状態に保つことができる。また、前記上タブ２ｆの係止を外し、前記リング部材２ｅを下方へスライドさせ、その係止穴を下タブ２ｇに係止させると、天蓋３を図２の如く閉じた（つぼめた）状態に保持できる。
【００１１】
前記エプロン片５には、前記天蓋３の幕布と同素材のもの、即ち、薄手にして高い防水性能を有するものを使用する。これはエプロン片５と天蓋３の幕布とを素材的に馴染み易くし、天蓋３を建物の中に入るなどに際して図２の如く一時的につぼめたときに、エプロン片５を取り外さなくても破線で示すように一緒につぼめられるようになる点で好ましい。また、両者を同素材としたことは、エプロン片５の色彩や模様を含めて天蓋３との一体感（バランス性、共通性）を醸成させる意味においても好ましい。
【００１２】
前記係脱手段４の構成としては、図３の如く、パイプ４ａと嵌入棒４ａ′とがある。この場合、パイプ４ａを天蓋３又はその力骨２ｃに、瞬間接着剤のような固着手段Ｋ1 で確実に固着する一方、嵌入棒４ａ′をエプロン片５の一縁部に、パイプ４ａの固着間隔と同間隔にて縫い付け等の固着手段Ｋ2 により固着するとよい。
【００１５】
前記エプロン片５は、傘本体２の天蓋３より係脱手段４を脱却して取り外し、図４（ａ）の如く、２つ折りにし、さらに第１仮想線Ｐ１  を中心に２つに折り、次いで第２仮想線Ｐ２  を中心に２つ折りする如く順次小さく折り畳んでから、傘本体２に備えた収容袋６に、同図（ｂ）の如く収容し、該収容袋６の提げ手６′とともに傘本体２と一緒に携帯することができる。また、天蓋３の幕布の内面適所にポケット（図示せず）を形成し、これを収容袋として利用することも考えられる。該収容袋６には前記天蓋３の幕布と同素材の、薄手にして高い防水性能を有するものを使用することが好ましい。なお、収容袋６として図示のものは開口部がホック付きの蓋で開閉できるようになっているが、例えばジッパーその他の開閉手段を利用することも可能である。
【００１６】
なお、図中、７は石突き、８はエプロン片５及び収容袋６に縫い付けたブランド表示布である。ブランド表示布８は、それ自体の有する宣伝機能等の他、エプロン片５の表と裏とを明確にする意味もある。
【００１７】
次に、図５、図６に基づいて本願装置１の作用を説明する。図５は、通常の雨降り時における本願装置１の作用を示している。まず、所定のように天蓋３を開き、中棒２ｂの手元部（握り部）２ａを把持し、人体Ｂを覆って歩くとき、天蓋３はその中心Ｓが、把持している手Ｂ１  の方に片寄るが、天蓋３の内面裾側にはエプロン片５が垂下されているため、該エプロン片５で天蓋３よりはみ出している肩Ｂ２  を覆うようにすれば、該肩Ｂ２  を天蓋の露先を伝って落下した雨滴Ａから確実に避けることができる。
【００１８】
図６は、雨風の強い日（傘をさしながら自転車に乗っているときも同じ現象になる。）における本願装置１の作用を示している。まず、所定のように天蓋３を開き、中棒２ｂを風に向かって前方に傾けて天蓋３を前傾姿勢にする。これにより人体の背中Ｂ３  は天蓋３よりはみ出すこととなるが、該はみ出した背中Ｂ３は、天蓋３の内面裾側より垂下し、風になびいて背中側に流れているエプロン片５により覆われることから、雨水Ａ′はこれを確実に避けることができる。
【００１９】
なお、上記実施の態様では示していないが、傘本体２の天蓋３の幕布と、エプロン片５とを自動車の運転手が目視し易い「黄色」に着色するか、夜間ライトが当たると反射する反射テープを貼着しておくと、学童用傘或いは交通安全傘として提供できる。また、エプロン片５には、テレビ漫画その他の人気キャラクターや動物や植物その他の形状を模して印刷等により形成してもよい。
【００２０】
【発明の効果】
以上の如く、本発明は、傘本体の天蓋の内面裾側に、エプロン片を取り外し自在に垂下した雨傘装置において、前記天蓋又はその力骨に、該力骨と同方向にパイプを固着し、前記エプロン片の一縁部に、前記パイプの間隔と同間隔に、パイプ嵌入棒を固着してなることを特徴としているから、天蓋が中棒を握った手の方に片寄ったり、雨風の強い日に天蓋を風に向かって前傾姿勢をとったりしても、天蓋よりはみ出した肩や背中をエプロン片で確実に覆うことができ、雨の日に楽しく傘が使用できるという優れた効果を奏するものである。
【００２３】
さらに、請求項２に記載の発明は、前記傘本体が、該傘本体と一緒にエプロン片を携帯
するための提げ手付き収容袋を備えていることを特徴としているから、雨が止んで天蓋よ
り外したエプロン片を小さく折り畳んで傘本体とともに携帯できるという優れた効果を奏
するものである。
【図面の簡単な説明】
【図１】  本願装置の斜視図である。
【図２】  天蓋を一時的につぼめた状態を示す斜視図である。
【図３】  係止手段の代表例を示す断面図である。
【図４】  （ａ）はエプロン片の折り畳み過程を示す斜視図、（ｂ）は小さく折り畳んだエプロン
片の収容袋を示す斜視図である。
【図５】  エプロン片で肩を覆った状態を示す説明図である。
【図６】  エプロン片で背を覆った状態を示す説明である。
【符号の説明】
１  本願装置
２  傘本体
２ａ  手元部（握り部）
２ｂ  中棒
２ｃ  力骨
２ｄ  受骨
２ｅ  リング部材
２ｆ  上タブ
２ｇ  下タブ
３  天蓋
４  係脱手段
４ａ  パイプ
４ａ′  嵌入棒
５  エプロン片
Ｋ1   固着手段
Ｐ1   第１仮想線
Ｐ2   第２仮想線
６  収容袋
６′  提げ手
７  石突き
８  ブランド表示布
Ｂ  人体
Ｂ1   手
Ｂ2   肩
Ｂ3   背中
Ｓ  中心
Ａ  雨滴
Ａ′  雨水
【図１】
0004119220.tif 000002
【図２】
0004119220.tif 000003
【図３】
0004119220.tif 000004
【図４】
0004119220.tif 000005
【図５】
0004119220.tif 000006
【図６】
0004119220.tif 000007